(57)【特許請求の範囲】
【請求項１】
被検体を撮影した画像番号を付帯情報に有する画像の集合である画像セットを取得する取得手段と、
前記画像セットに含まれる前記画像を表示する表示手段と、
表示された前記画像のうち指示された前記画像の再撮影を行う撮影手段と、
再撮影した画像の付帯情報の画像番号を、再撮影前の前記画像の付帯情報の画像番号とするデータ処理手段と、
前記画像セットを出力する出力手段と、
を備え、
前記画像の前記付帯情報は、更に、撮影した際の位置情報及び日時情報を含み、
前記データ処理手段は、前記画像の付帯情報に含まれる前記位置情報及び前記日時情報に基づいて、前記再撮影した画像及び前記再撮影前の画像を識別し、
前記データ処理手段は、前記画像の付帯情報に含まれる前記位置情報に基づいて前記画像セットに含まれる画像を整列し、前記再撮影前の画像を出力対象の前記画像セットから除外した後、当該画像セットに含まれる画像の付帯情報の画像番号を再付番することを特徴とする医用画像診断装置。
【請求項２】
医用画像診断装置が、
被検体を撮影した画像番号及び撮影した際の位置情報と日時情報を付帯情報に有する画像の集合である画像セットを取得するステップと、
前記画像セットに含まれる前記画像を表示するステップと、
表示された前記画像のうち指示された前記画像の再撮影を行うステップと、
前記画像の付帯情報に含まれる前記位置情報及び前記日時情報に基づいて、再撮影した画像及び再撮影前の画像を識別し、前記画像の付帯情報に含まれる前記位置情報に基づいて前記画像セットに含まれる画像を整列し、前記再撮影前の画像を出力対象の前記画像セットから除外した後、当該画像セットに含まれる画像の付帯情報の画像番号を再付番して、再撮影した画像の付帯情報の画像番号を、再撮影前の前記画像の付帯情報の画像番号とするステップと、
前記画像セットを出力するステップと、
を含む処理を実行することを特徴とする医用画像データ処理方法。
【請求項３】
被検体を撮影した画像番号と寝台に対する撮影位置の情報である位置情報とを付帯情報に有し、前記位置情報が連続する画像の集合である画像セットを取得する取得手段と、
前記画像セットに含まれる前記画像を表示する表示手段と、
表示された前記画像のうち指示された前記画像の再撮影を行う撮影手段と、
再撮影した画像と再撮影前の画像とを前記位置情報に基づいて識別し、再撮影した画像の付帯情報の画像番号を、再撮影前の前記画像の付帯情報の画像番号とするデータ処理手段と、
前記画像セットを出力する出力手段と、
を備えることを特徴する医用画像診断装置。
【請求項４】
医用画像診断装置が、
被検体を撮影した画像番号と寝台に対する撮影位置の情報である位置情報とを付帯情報に有し、前記位置情報が連続する画像の集合である画像セットを取得するステップと、
前記画像セットに含まれる前記画像を表示するステップと、
表示された前記画像のうち指示された前記画像の再撮影を行うステップと、
再撮影した画像と再撮影前の画像とを前記位置情報に基づいて識別し、再撮影した画像の付帯情報の画像番号を、再撮影前の前記画像の付帯情報の画像番号とするステップと、
前記画像セットを出力するステップと、
を含む処理を実行することを特徴とする医用画像データ処理方法。
【発明の詳細な説明】
【技術分野】
【０００１】
本発明は、医用画像診断装置にて撮影した画像セットにおいて、アーチファクト等がある画像を再撮影した際の画像セットのデータ処理方法に関する。
【背景技術】
【０００２】
医用画像診断装置であるＸ線ＣＴ装置などで頭部をスキャンする際には、体動によって画像にアーチファクト（モーションアーチファクト）を生じさせてしまうことがある。その場合には、アーチファクトがある画像だけを再撮影し、アーチファクトがある再撮影前の画像は削除する。
【０００３】
再撮影した画像を再撮影前の画像に置き換える技術に関して、特許文献１には、医用画像を入力し、既にある医用画像に対して、患者、検査、撮影部位、撮影方向の付帯情報が一致した場合に再撮影されたと判断し、入力された医用画像を、既にある医用画像に置き換える技術が開示されている。
【０００４】
また、再撮影した画像の並び順についても考慮する必要がある。画像の並び順は検査によっては頭部側から脚部に並べて読影する場合もあれば、脚部側から頭部に並べて読影する場合もある。そのため、画像の並び順は一概に位置情報では決められない。一般的に画像の作成順に付けられる付帯情報の画像番号で並べて読影される。
【０００５】
再撮影した画像を置き換えた画像セットは画像番号の順番で並べると再撮影した画像が末尾になり、読影に適した並びとならない。そのため、再撮影した画像を置き換えた画像セットをＰＡＣＳ（Picture Archiving and Communication System）などへ出力する前に操作者が付帯情報の画像番号を付け直している。
【０００６】
従来では、医用画像診断装置において、画像セットに再撮影が必要な画像が含まれる場合には、操作者により以下のような手順が行われていた。
操作者は医用画像診断装置において撮影した画像セットを確認し、アーチファクトのある画像を発見する。次に、操作者は医用画像診断装置でアーチファクトのある画像の位置で再撮影を行うとともに、アーチファクトのある画像を削除する。そして、操作者は医用画像診断装置を操作して、画像セットを位置情報によりソートし、ソートされている順番で画像番号を振り直し、画像セットをＰＡＣＳなどへ出力する。
【先行技術文献】
【特許文献】
【０００７】
【特許文献１】国際公開第２０１０／１１３６１５号
【発明の概要】
【発明が解決しようとする課題】
【０００８】
しかしながら、Ｘ線ＣＴ装置などの連続した断層画像セットを取得するシステムでは、一部の画像だけを再撮影することが多いため、特許文献１の技術では連続した断層画像セットのどの画像が再撮影されたのか判断できない。そのため、操作者が再撮影前の画像を手動で削除して画像を置き換える必要がある。
【０００９】
また、前述した従来の操作者による手順では、操作者によるアーチファクトのある画像の削除、画像セットの位置情報によるソート、及び、画像番号の振り直し等の操作に必要な手間の問題や、画像を削除する際に操作者の誤操作により他の画像を削除してしまうという問題がある。
【００１０】
また、画像セットを表示する際に付帯情報の画像番号を設定された表示順番で並べ替えて画像セットを表示する技術が知られているが、付帯情報の画像番号を振り直さないため、操作者が付帯情報の画像番号を振り直すことを忘れたままＰＡＣＳなどへ出力してしまい、ＰＡＣＳなどで読影に適した並び順で表示されないという問題がある。
【００１１】
本発明は、以上の問題点に鑑みてなされたものであり、その目的とすることは、操作者の簡便な操作で、再撮影した画像が含まれる画像セットを正しく読影できる状態でＰＡＣＳなどに出力することが可能な医用画像診断装置等を提供することを目的とする。
【課題を解決するための手段】
【００１２】
前述した目的を達成するために第１の発明は、被検体を撮影した画像番号を付帯情報に有する画像の集合である画像セットを取得する取得手段と、前記画像セットに含まれる前記画像を表示する表示手段と、表示された前記画像のうち指示された前記画像の再撮影を行う撮影手段と、再撮影した画像の付帯情報の画像番号を、再撮影前の前記画像の付帯情報の画像番号とするデータ処理手段と、前記画像セットを出力する出力手段と、を備えることを特徴とする医用画像診断装置である。
【００１３】
第２の発明は、医用画像診断装置が、被検体を撮影した画像番号を付帯情報に有する画像の集合である画像セットを取得するステップと、前記画像セットに含まれる前記画像を表示するステップと、表示された前記画像のうち指示された前記画像の再撮影を行うステップと、再撮影した画像の付帯情報の画像番号を、再撮影前の前記画像の付帯情報の画像番号とするステップと、前記画像セットを出力するステップと、を含む処理を実行することを特徴とする医用画像データ処理方法である。
【発明の効果】
【００１４】
本発明により、操作者の簡便な操作で、再撮影した画像が含まれる画像セットを正しく読影できる状態でＰＡＣＳなどに出力することが可能な医用画像診断装置等を提供することができる。
【図面の簡単な説明】
【００１５】
【図１】本実施形態に係る医用画像診断装置（Ｘ線ＣＴ装置）の構成例を示すブロック図
【図２】従来のＸ線ＣＴ装置において再撮影を行う場合の画像セットに対する操作者の手順の一例を示すフローチャート
【図３】図２の手順における画像セットの各状態を示す図
【図４】第１実施形態に係るＸ線ＣＴ装置において再撮影を行う場合の画像セットに対する処理を示すフローチャート
【図５】第１実施形態に係る画像確認画面の一例を示す図
【図６】第１実施形態に係る要再撮影欄にチェックを入れられた画像の再撮影を行う際の処理を示すフローチャート
【図７】第２実施形態に係るＸ線ＣＴ装置において再撮影を行う場合の画像セットに対する処理を示すフローチャート
【図８】第２実施形態に係る再撮影前画像と再撮影後画像の識別及び画像番号の再付番等の処理を示すフローチャート
【発明を実施するための形態】
【００１６】
以下、図面に基づいて、本発明の実施形態を詳細に説明する。
【００１７】
まず、図１を参照して、医用画像診断装置の全体構成について説明する。ここでは、医用画像診断装置の例をＸ線ＣＴ装置１とするが、撮影した際の位置情報、画像番号、及び日時情報を付帯情報としてもつ連続した画像の集合である画像セットが撮影できる医用画像診断装置であれば、ＭＲＩ装置、透視撮影装置、ＰＥＴ装置等その種類は問わない。なお、位置情報とは、例えば後述する寝台１０５に対する撮影位置の情報である。
【００１８】
図１に示すように、Ｘ線ＣＴ装置１は、スキャナ１００、寝台１０５、及び操作卓１２０を備える。スキャナ１００は、被検体に対してＸ線を照射するとともに被検体を透過したＸ線を検出する装置である。操作卓１２０は、スキャナ１００の各部を制御するとともにスキャナ１００で計測した透過Ｘ線データを取得し、画像の生成を行う装置である。寝台１０５は被検体を寝載し、スキャナ１００のＸ線照射範囲に被検体を搬入・搬出する装置である。
【００１９】
スキャナ１００は、Ｘ線源１０１、回転盤１０２、コリメータ１０３、Ｘ線検出器１０６、データ収集装置１０７、ガントリ制御装置１０８、寝台制御装置１０９、及びＸ線制御装置１１０を備える。
操作卓１２０は、入力装置１２１、画像演算装置１２２、記憶装置１２３、システム制御装置１２４、及び表示装置１２５を備える。
【００２０】
スキャナ１００の回転盤１０２には開口部１０４が設けられ、開口部１０４を介してＸ線源１０１とＸ線検出器１０６とが対向配置される。開口部１０４に寝台１０５に載置された被検体が挿入される。回転盤１０２は、回転盤駆動装置から駆動伝達系を通じて伝達される駆動力によって被検体の周囲を回転する。回転盤駆動装置はガントリ制御装置１０８によって制御される。
【００２１】
Ｘ線源１０１は、Ｘ線制御装置１１０に制御されて所定の強度のＸ線を連続的または断続的に照射する。Ｘ線制御装置１１０は、操作卓１２０のシステム制御装置１２４により決定されたＸ線管電圧及びＸ線管電流に従って、Ｘ線源１０１に印加または供給するＸ線管電圧及びＸ線管電流を制御する。
【００２２】
Ｘ線源１０１のＸ線照射口にはコリメータ１０３が設けられる。コリメータ１０３は、Ｘ線管１０１から放射されたＸ線の照射範囲を制限する。例えばコーンビーム（円錐形または角錐形ビーム）等に成形する。コリメータ１０３の開口幅はシステム制御装置１２４により制御される。
【００２３】
Ｘ線源１０１から照射され、コリメータ１０３を通過し、被検体を透過したＸ線はＸ線検出器１０６に入射する。
【００２４】
Ｘ線検出器１０６は、例えばシンチレータとフォトダイオードの組み合わせによって構成されるＸ線検出素子群をチャンネル方向（周回方向）及び列方向（体軸方向）に２次元配列したものである。Ｘ線検出器１０６は、被検体を介してＸ線源１０１に対向するように配置される。Ｘ線検出器１０６はＸ線源１０１から照射されて被検体を透過したＸ線量を検出し、データ収集装置１０７に出力する。
【００２５】
データ収集装置１０７は、Ｘ線検出器１０６の個々のＸ線検出素子により検出されるＸ線量を収集し、デジタル信号に変換し、透過Ｘ線データとして操作卓１２０の画像演算装置１２２に順次出力する。
【００２６】
画像演算装置１２２は、ＣＰＵ（Central Processing Unit）、ＲＯＭ（Read Only
Memory）、ＲＡＭ（Random Access Memory）等を備えたコンピュータである。画像演算装置１２２は、データ収集装置１０７から入力された透過Ｘ線データを取得し、対数変換、感度補正等の前処理を行って再構成に必要な投影データを作成する。また画像演算装置１２２は、生成した投影データを用いて断層像等の被検体内部を描出した画像を再構成する。システム制御装置１２４は、画像演算装置１２２によって再構成された画像データを記憶装置１２３に記憶するとともに表示装置１２５に表示する。
【００２７】
システム制御装置１２４は、ＣＰＵ、ＲＯＭ、ＲＡＭ等を備えたコンピュータである。本発明において、システム制御装置１２４は記憶装置１２３またはＲＯＭに記憶されている処理プログラムに従って、図４等に示す再撮影の制御やデータ処理を実行する。これらの処理については後述する。
【００２８】
記憶装置１２３はハードディスク等のデータ記録装置であり、Ｘ線ＣＴ装置１の機能を実現するためのプログラムやデータ等が予め記憶される。これらのプログラムコードは、システム制御装置１２４により必要に応じて読み出されてＲＡＭに移され、ＣＰＵに読み出されて実行される。
【００２９】
表示装置１２５は、液晶パネル、ＣＲＴモニタ等のディスプレイ装置と、ディスプレイ装置と連携して表示処理を実行するための論理回路で構成され、システム制御装置１２４に接続される。表示装置１２５は画像演算装置１２２から出力される画像、並びにシステム制御装置１２４が取り扱う種々の情報を表示する。
【００３０】
入力装置１２１は、例えば、キーボード、マウス等のポインティングデバイス、テンキー、及び各種スイッチボタン等により構成され、操作者によって入力される各種の指示や情報をシステム制御装置１２４に出力する。操作者は、表示装置１２５及び入力装置１２１を使用して対話的にＸ線ＣＴ装置１を操作する。入力装置１２１は表示装置１２５の表示画面と一体的に構成されるタッチパネル式の入力装置としてもよい。
【００３１】
寝台１０５は、被検体を寝載する天板、上下動装置、及び天板駆動装置を備え、寝台制御装置１０９の制御により天板高さを上下に昇降したり、体軸方向へ前後動したり、体軸と垂直方向かつ床面に対し平行な方向（左右方向）へ移動する。撮影中において、寝台制御装置１０９はシステム制御装置１２４により決定された寝台移動速度及び移動方向で天板を移動させる。
【００３２】
ここで、図２及び図３を参照して、従来のＸ線ＣＴ装置（医用画像診断装置）において、撮影した画像セットに再撮影が必要な画像が含まれる場合に、画像セットをＰＡＣＳに出力するまでの操作者の手順の一例を詳しく説明する。
【００３３】
ステップＳ２０１において、操作者の操作により、Ｘ線ＣＴ装置は、画像セットを撮影する。撮影の結果、図３（ａ）の画像セット３０１が収集されたとする。画像セット３０１は、アーチファクト（モーションアーチファクト）のある画像とない画像の混在する画像セットであり、画像番号０００３の画像３０１１がアーチファクトのある画像とする。
【００３４】
ステップＳ２０２において、Ｘ線ＣＴ装置は、収集された画像セット３０１の画像を表示し、操作者は、表示された画像を確認してアーチファクトのある画像３０１１を発見する。
【００３５】
ステップＳ２０３において、操作者の操作により、Ｘ線ＣＴ装置は、画像セット３０１のうち、アーチファクトのある画像に対してその位置で再撮影して画像を収集する。アーチファクトのある画像をここでは「再撮影前画像」とし、アーチファクトのある画像に対して再撮影して収集された画像を「再撮影後画像」とする。
【００３６】
再撮影の結果、画像セット３０１は、図３（ｂ）で示す画像セット３０２となる。画像セット３０２では、画像番号０００６の再撮影後画像３０２１が末尾に追加されている。この画像番号０００６の再撮影後画像３０２１は、画像番号０００３の再撮影前画像３０１１を再撮影して収集された画像である。
【００３７】
ステップＳ２０４において、Ｘ線ＣＴ装置は、画像セット３０２の画像を表示し、操作者は、再撮影後画像３０２１（画像番号０００６）にアーチファクトがないことを確認する。
ステップＳ２０５において、操作者の操作により、Ｘ線ＣＴ装置は、再撮影前画像３０１１（画像番号０００３）を削除する。
【００３８】
ステップＳ２０６において、操作者の操作により、Ｘ線ＣＴ装置は、ステップＳ２０５の操作の後の画像セットを付帯情報の位置情報にてソートする。ソートの結果、画像セットは、図３（ｃ）で示す画像セット３０３になる。
画像セット３０３は読影に適した並びになっているが、画像番号が順番になっていないため、画像セット３０３をＰＡＣＳなどに出力すると、ＰＡＣＳなどでは読影に適した並びで表示されない。
【００３９】
ステップＳ２０７において、操作者の操作により、Ｘ線ＣＴ装置は、画像セット３０３に対してソートされている順番で画像番号を振り直す。その結果、画像セット３０３は、図３（ｄ）で示す画像セット３０４となる。
ステップＳ２０８において、操作者の操作により、Ｘ線ＣＴ装置は、画像セット３０４をＰＡＣＳなどに出力する。
【００４０】
［第１実施形態］
次に、図４乃至図６を参照して、本発明の第１実施形態に係るＸ線ＣＴ装置１の処理を説明する。
第１実施形態のＸ線ＣＴ装置１では、画像確認画面を表示し画像セットにおいて再撮影を行いたい画像が指定されると、自動で再撮影を行い、再撮影後の画像に再撮影前の画像の画像番号を付与するとともに再撮影前の画像を削除し、画像セットをＰＡＣＳ等へ出力する。
図４は、第１実施形態に係るＸ線ＣＴ装置１において再撮影を行う場合の画像セットに対する処理を示すフローチャートである。
【００４１】
ステップＳ４０１において、操作者の操作により、Ｘ線ＣＴ装置１のシステム制御装置１２４（以下、システム制御装置１２４という）は、ガントリ制御装置１０８、寝台制御装置１０９、Ｘ線制御装置１１０等を制御して、画像セットを撮影する。ここで画像セットとは、被検体を撮影した、少なくとも撮影した際の位置情報及び画像番号を付帯情報としてもつ画像の集合である。撮影した結果、図３（ａ）に示すアーチファクト（モーションアーチファクト）のある画像３０１１を含む画像セット３０１が収集されたとする。
【００４２】
ステップＳ４０２において、システム制御装置１２４は、画像確認画面５０１を表示装置１２５に表示する。
【００４３】
図５は、画像確認画面５０１の一例を示す図である。画像確認画面５０１は、前の画像ボタン５０２、次の画像ボタン５０３、再撮影ボタン５０４、終了ボタン５０５、画像表示領域５０６、及び、要再撮影欄５０７を備える。
システム制御装置１２４は、ステップＳ４０１で撮影した画像セットに含まれる１つの画像を、画像表示領域５０６に表示する。
【００４４】
前の画像ボタン５０２は、画像表示領域５０６に表示している画像の画像セットにおける１つ前の画像を表示する際に、操作者に押下されるボタンである。
次の画像ボタン５０３は、画像表示領域５０６に表示している画像の画像セットにおける１つ後の画像を表示する際に、操作者に押下されるボタンである。
要再撮影欄５０７は、画像表示領域５０６に表示されている画像にアーチファクト等があり再撮影が必要な場合に、操作者によりチェックが入れられる領域である。
再撮影ボタン５０４は、要再撮影欄５０７にチェックが入れられている画像を再撮影する際に、操作者に押下されるボタンである。
終了ボタン５０５は、画像確認画面５０１を終了する際に、操作者により押下されるボタンである。
【００４５】
ステップＳ４０３において、システム制御装置１２４は、操作者の操作により、再撮影を行いたい画像の要再撮影欄５０７にチェックを受け付ける。具体的には、操作者は、画像確認画面５０１において、画像表示領域５０６に表示された画像を確認し、アーチファクト等があり再撮影を行いたい場合には、要再撮影欄５０７にチェックを入れる。その際に、操作者は、前の画像ボタン５０２及次に画像ボタン５０３を押下し、画像セットに含まれる画像を確認する。
【００４６】
ステップＳ４０４において、システム制御装置１２４は、操作者により、再撮影ボタン５０４が押下されたか否か判定する。
【００４７】
再撮影ボタン５０４が押下された場合には（ステップＳ４０４でＹＥＳ）、ステップＳ４０５において、システム制御装置１２４は、Ｘ線制御装置１１０等を制御して、要再撮影欄５０７にチェックが入れられた画像の再撮影を行う。ステップＳ４０５の詳細は後述する。
システム制御装置１２４は、再撮影して収集された画像の付帯情報の画像番号を再撮影前の画像の画像番号と同じにし、再撮影前の画像は削除する。ステップＳ４０５の後、画像セットは、図３（ｄ）に示す画像セット３０４となる。
そして、ステップＳ４０５の後、システム制御装置１２４は、制御をステップＳ４０２に戻し、再撮影した画像を含む画像セットを、操作者に確認させる。
【００４８】
一方、再撮影ボタン５０４が押されていない場合には（ステップＳ４０４でＮＯ）、ステップＳ４０６において、システム制御装置１２４は、終了ボタン５０５が押下されたか否か判定する。終了ボタン５０５が押下されていない場合には（ステップＳ４０６でＮＯ）、システム制御装置１２４は、制御をステップＳ４０３へ戻す。
【００４９】
終了ボタン５０５が押下された場合には（ステップＳ４０６でＹＥＳ）、操作者が画像セットに再撮影が必要な画像が含まれないと判断した場合で、ステップＳ４０７において、システム制御装置１２４は、画像確認画面５０１を終了し、画像セットをＰＡＣＳ等に出力する。
【００５０】
次に、図６を参照して、図４のステップＳ４０５における要再撮影欄にチェックを入れられた画像の再撮影を行う際の処理について説明する。
【００５１】
ステップＳ６０１において、システム制御装置１２４は、要再撮影欄５０７にチェックが入れられた画像の付帯情報の位置情報及び画像番号をメモリ領域に記憶する。システム制御装置１２４は、複数の画像の要再撮影欄５０７にチェックが入っている場合があるため、要撮影欄５０７にチェックが入っている全ての画像の位置情報及び画像番号を記憶する。
【００５２】
ステップＳ６０２において、システム制御装置１２４は、要再撮影欄５０７にチェックが入れられた画像に対してその位置情報で示される位置で再撮影を行う。
【００５３】
ステップＳ６０３において、システム制御装置１２４は、再撮影して収集された画像の付帯情報の画像番号に、ステップＳ６０１にてメモリに記憶した付帯情報の画像番号であって、再撮影した際の位置情報と同じ位置情報をもつ付帯情報の画像番号を付与する。なお、再撮影して収集された画像の付帯情報の位置情報は、再撮影した際の位置の位置情報である。
【００５４】
ステップＳ６０４において、システム制御装置１２４は、再撮影前の画像を削除する。
その後、システム制御装置１２４は、図４のステップＳ４０７へ制御を移す。
以上で、第１実施形態に係るＸ線ＣＴ装置１において再撮影を行う場合の画像セットに対する処理の説明は終了である。
【００５５】
なお、本実施形態は前述のものに限られずその趣旨を逸脱しない範囲で変更可能である。
例えば、ステップＳ６０４において、再撮影前の画像を削除するとしたが、再撮影してもアーチファクトがある場合を想定し、システム制御装置１２４は、削除する前に再撮影前の画像と再撮影後の画像を表示装置１２５に表示し、操作者にどちらの画像を残すか選択させてもよい。
【００５６】
また、ステップＳ６０１乃至ステップＳ６０３の処理に関して、要再撮影欄にチェックを入れられた画像ごとに再撮影を行う場合には、システム制御装置１２４は、ステップＳ６０１において付帯情報の位置情報をメモリ領域に記憶する必要はない。
【００５７】
また、例えば、ステップＳ４０４及びステップＳ４０５の処理に関して、被検体の体動があった場合、複数枚の画像にアーチファクトがある可能性が高い。そして、連続して要再撮影欄５０７にチェックが付いている画像があり、それらの間に１枚だけチェックが付いていない画像がある場合、操作者がチェックをつけずに次の画像を確認してしまっている可能性がある。そこで、確認漏れを防止することを目的に、システム制御装置１２４は、再操作ボタン５０４を押下した際に連続して要再撮影欄５０７にチェックが付いている画像の中に１枚だけチェックがついていない画像があった場合は、チェックがついていない画像を表示して再撮影が不要か操作者に確認させてもよい。
【００５８】
なお、本実施形態ではノーマルスキャンで撮影することを前提に説明したが、ヘリカルスキャンで撮影する場合にも適用可能である。その場合には、例えば、画像確認画面５０１において、要再撮影開始欄と要再撮影終了欄とを設け（図示しない）、再撮影を行いたい画像の範囲を指定できるようにすればよい。この場合、システム制御装置１２４は、再撮影の範囲で指定された画像について、要再撮影欄にチェックが入れられたものとして、ステップＳ４０５の処理を行う。
【００５９】
以上説明したように、第１実施形態では、画像セットに含まれる画像において、要再撮影欄にチェックを入れられた画像に対して、当該画像の位置で再撮影されるとともに、再撮影前の画像の画像番号が再撮影した画像に付与され、再撮影前の画像が削除されたうえで画像セットを出力する。したがって、再撮影した画像の画像番号を読影に適した並び順で付与することができ、出力先のＰＡＣＳなどで常に読影に適した並び順で表示することができる。また、操作者がアーチファクトのある画像を手動で削除する必要がないため、誤操作によってアーチファクトのない画像まで削除してしまうリスクを軽減することができる。
【００６０】
［第２実施形態］
次に、図７及び図８を参照して、本発明の第２実施形態に係るＸ線ＣＴ装置１の処理を説明する。
第２実施形態のＸ線ＣＴ装置１では、画像セットにおいて再撮影を行いたい画像の再撮影が行われると、自動で再撮影前の画像及び再撮影後の画像を識別し、再撮影前の画像の削除を行った後、画像番号の再付番を行い、画像セットをＰＡＣＳ等へ出力する。
図７は、第２実施形態に係るＸ線ＣＴ装置１において再撮影を行う場合の画像セットに対する処理を示すフローチャートである。
【００６１】
ステップＳ７０１において、操作者の操作により、Ｘ線ＣＴ装置１のシステム制御装置１２４（以下、システム制御装置１２４という）は、ガントリ制御装置１０８、寝台制御装置１０９、Ｘ線制御装置１１０等を制御して、画像セットを撮影する。ここで画像セットとは、被検体を撮影した、少なくとも撮影した際の位置情報、日時情報、及び画像番号を付帯情報としてもつ画像の集合である。撮影した結果、図３（ａ）に示すアーチファクト（モーションアーチファクト）のある画像３０１１を含む画像セット３０１が収集されたとする。
【００６２】
ステップＳ７０２において、システム制御装置１２４は、撮影した画像セットを表示装置１２５に表示する。操作者は、表示された画像セットを確認して、アーチファクトのある画像を発見する。
ステップＳ７０３において、、操作者の操作により、システム制御装置１２４は、Ｘ線制御装置１１０等を制御して、アーチファクトのある画像の再撮影を行う。
【００６３】
ステップＳ７０４において、システム制御装置１２４は、画像セットに含まれる再撮影前画像と再撮影後画像を識別し、再撮影後画像のみを残し、画像番号の再付番を行う。ステップＳ７０４の詳細は後述する。ステップＳ７０４の後、画像セットは、図３（ｄ）に示す画像セット３０４となる。
ステップＳ７０５において、システム制御装置１２４は、画像セットをＰＡＣＳ等へ出力する。
【００６４】
次に、図８を参照して、図７のステップＳ７０４における再撮影前画像と再撮影後画像の識別及び画像番号の再付番等の処理について説明する。
【００６５】
ステップＳ８０１において、システム制御装置１２４は、画像セットがどのようなスキャンタイプによって収集されたか確認する。同じ位置を撮影して経時変化をみる検査のスキャンタイプ、すなわちダイナミックスキャンやシャトルスキャンなどの場合には、システム制御装置１２４は、図８に示す処理を行わず、画像セットをそのままＰＡＣＳ等に出力する（図７のステップＳ７０５）。
【００６６】
ステップＳ８０１においてそれ以外のスキャンタイプの場合には、ステップＳ８０２において、システム制御装置１２４は、画像セットに含まれる画像を付帯情報の位置情報によってソートする。なおここでは、例えば検査対象部位等に応じて予め設定された順番にソートしてもよい。
【００６７】
ステップＳ８０３において、システム制御装置１２４は、画像セット内に、同じ位置情報を付帯情報にもつ画像があるか判定する。同じ位置情報を付帯情報にもつ画像がある場合、それらの画像は再撮影前画像と再撮影後画像となる。同じ位置情報を付帯情報にもつ画像がない場合には（ステップＳ８０３でＮＯ）、システム制御装置１２４は、制御をステップＳ８０６へ移す。
【００６８】
同じ位置情報を付帯情報にもつ画像がある場合には（ステップＳ８０３でＹＥＳ）、ステップＳ８０４において、システム制御装置１２４は、それらの画像の中で最も新しい日時情報を付帯情報にもつ画像を再撮影後画像とし、それ以外の画像を出力の対象外とする。
【００６９】
ステップＳ８０５において、システム制御装置１２４は、出力の対象外となった画像を削除する。
【００７０】
ステップＳ８０６において、システム制御装置１２４は、画像セット内の画像に対して画像番号の再付番を行う。
なお、ここでは、既に操作者の操作により、あらかじめ再撮影前画像が削除されていた場合でも、適切な画像番号が付与されるようにするため、システム制御装置１２４は、ステップＳ８０４、ステップＳ８０５を経ずに処理した場合でも画像番号の再付番を行う。
その後、システム制御装置１２４は、図７のステップＳ７０５へ制御を移す。
【００７１】
以上で、第２実施形態に係るＸ線ＣＴ装置１において再撮影を行う場合の画像セットに対する処理の説明は終了である。
【００７２】
なお、本実施形態は前述のものに限られずその趣旨を逸脱しない範囲で変更可能である。
例えば、ステップＳ８０４において、付帯情報の日時情報から出力の対象外とする画像を判定したが、システム制御装置１２４は、表示装置１２５に同じ位置情報を付帯情報にもつ画像を並べて表示し、操作者に再撮影後画像と判定した画像を確認させてもよいし、操作者が再撮影後画像を選択できるようにしてもよい。
【００７３】
なお、本実施形態ではノーマルスキャンで撮影することを前提に説明したが、ヘリカルスキャンで撮影する場合にも適用可能である。その場合には、例えば、ステップＳ７０３において、再撮影を行いたい範囲を指定できるようにして、システム制御装置１２４は、指定された範囲で再撮影を行い、この範囲で再撮影された再撮影後画像を用いて、ステップＳ７０４以降の処理を行う。
【００７４】
以上説明したように、第２実施形態では、再撮影された画像を含む画像セットにおいて、位置情報の基づきソートを行い、撮影した際の日時情報に基づいて再撮影前画像及び再撮影後画像を特定して再撮影前画像を削除し、再付番を行ったうえで画像セットを出力する。したがって、画像セット内の画像の付帯情報の画像番号を読影に適した順番で付与することができ、出力先のＰＡＣＳなどで常に読影に適した並び順で表示することができる。また、操作者が再撮影前画像を手動で削除する必要がないため、誤操作によってアーチファクトのない画像まで削除してしまうリスクを軽減することができる。
【００７５】
以上、添付図面を参照しながら、本発明に係る医用画像診断装置等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００７６】
１・・・・・・・・・Ｘ線ＣＴ装置
１００・・・・・・・スキャナ
１０１・・・・・・・Ｘ線源
１０２・・・・・・・回転盤
１０４・・・・・・・開口部
１０５・・・・・・・寝台
１０６・・・・・・・Ｘ線検出器
１０７・・・・・・・データ収集装置
１０８・・・・・・・ガントリ制御装置
１０９・・・・・・・寝台制御装置
１１０・・・・・・・Ｘ線制御装置
１２０・・・・・・・操作卓
１２１・・・・・・・入力装置
１２２・・・・・・・画像演算装置
１２３・・・・・・・記憶装置
１２４・・・・・・・システム制御装置
１２５・・・・・・・表示装置
３０１〜３０４・・・画像セット
３０１１・・・・・・再撮影前画像
３０２１・・・・・・再撮影後画像
５０１・・・・・・・画像確認画面
５０４・・・・・・・再撮影ボタン
５０６・・・・・・・画像表示領域
５０７・・・・・・・要再撮影欄
【図１】
0006509014.tif 000002
【図２】
0006509014.tif 000003
【図３】
0006509014.tif 000004
【図４】
0006509014.tif 000005
【図５】
0006509014.tif 000006
【図６】
0006509014.tif 000007
【図７】
0006509014.tif 000008
【図８】
0006509014.tif 000009